(57)【要約】【課題】画像形成装置に記憶されている複数のジョブの部数を容易に変更できる技術を提供すること。【解決手段】プリンタ１００は，外部装置からジョブを受信した場合に，受信したジョブをＲＡＭ３３に記憶する。また，プリンタ１００は，ＲＡＭ３３に記憶されているジョブの選択を受け付け，複数のジョブが選択された場合，それら複数のジョブに，部数が２以上に設定されたジョブが含まれるか否かを判断する。そして，プリンタ１００は，部数が２以上に設定されたジョブが含まれないと判断した場合，部数の設定を受け付け，それら複数のジョブの全ての部数を，受け付けた部数に変更する。一方，部数が２以上に設定されたジョブが含まれると判断した場合，複数のジョブの１つずつに対して個別に部数の設定を受け付け，各ジョブの部数を個別に変更する。【選択図】図７
2020199777.tif 000002
【特許請求の範囲】
【請求項１】
ジョブを受信する受信部と，
記憶部と，
シートに画像を形成する画像形成部と，
操作部と，
制御部と，
を備える画像形成装置において，
前記制御部は，
前記受信部を介してジョブを受信した場合に，前記受信したジョブを前記記憶部に記
憶する記憶処理を実行し，
前記記憶部にジョブが記憶されている状態で，ジョブを選択するジョブ選択指示を前
記操作部を介して受け付けた場合に，
前記操作部への操作に応じて，前記記憶部に記憶されるジョブの少なくとも１つを
選択する選択処理と，
前記選択処理にて複数のジョブが選択された場合，前記選択された複数のジョブに
，部数が２以上に設定されたジョブが含まれるか否かを判断する複数部数判断処理と，
前記選択された複数のジョブの部数を変更する部数変更処理であって，
前記複数部数判断処理にて，前記選択された複数のジョブに，部数が２以上に設
定されたジョブが含まれないと判断された場合，部数の設定を前記操作部を介して受け付
け，前記選択された複数のジョブの全ての部数を，受け付けた部数に変更する一括変更処
理と，
前記複数部数判断処理にて，前記選択された複数のジョブに，部数が２以上に設
定されたジョブが含まれると判断された場合，前記選択された複数のジョブの１つずつに
対して個別に，部数の設定を前記操作部を介して受け付け，前記選択された複数のジョブ
の各ジョブの部数を，受け付けた部数に変更する個別変更処理と，
を実行する前記部数変更処理と，
前記操作部に画像形成指示を受け付けたことを契機に，前記選択処理により選択さ
れた前記ジョブに基づく画像を，前記選択されたジョブに設定されている部数分，前記画
像形成部に形成させる画像形成処理と，
を実行することを特徴とする画像形成装置。
【請求項２】
請求項１に記載する画像形成装置において，
前記制御部は，
前記部数変更処理では，
前記複数部数判断処理にて，前記選択された複数のジョブに，部数が２以上に設定
されたジョブが含まれると判断された場合，前記選択された複数のジョブの部数を変更す
るか否かの部数変更指示を前記操作部を介して受け付ける指示受付処理を実行し，
前記指示受付処理にて前記部数変更指示を受け付けた場合，前記個別変更処理を実
行し，
前記指示受付処理にて前記部数変更指示を受け付けなかった場合，前記個別変更処
理を実行しない，
ことを特徴とする画像形成装置。
【請求項３】
請求項１または請求項２に記載する画像形成装置において，
前記制御部は，
前記一括変更処理では，部数の設定を受け付ける際，部数の初期値を１とする，
ことを特徴とする画像形成装置。
【請求項４】
請求項１から請求項３のいずれか１つに記載する画像形成装置において，
前記制御部は，
前記選択処理では，前記記憶部に記憶されているジョブを一覧表示し，さらに部数が
２以上に設定されたジョブを第１の表示態様で表示し，それ以外のジョブを第２の表示態
様で表示する，
ことを特徴とする画像形成装置。
【請求項５】
請求項１から請求項４のいずれか１つに記載する画像形成装置において，
前記制御部は，
前記選択処理では，前記記憶部に記憶されている全てのジョブを選択対象とする全ジ
ョブ表示と，前記記憶部に記憶されているジョブのうち部数が２以上に設定されていない
ジョブを選択対象とする一部ジョブ表示と，を切り替える，
ことを特徴とする画像形成装置。
【請求項６】
請求項１から請求項５のいずれか１つに記載する画像形成装置において，
複数の排紙トレイと，
前記画像形成部によって画像が形成されたシートを，前記複数の排紙トレイのいずれか
に排出する排出部と，
を備え，
前記制御部は，
前記部数変更処理では，
前記一括変更処理にて部数を変更する場合，排紙トレイの設定を前記操作部を介し
て受け付け，前記選択された複数のジョブの全ての排紙トレイの設定を，受け付けた排紙
トレイに変更する排紙トレイ変更処理，
を実行することを特徴とする画像形成装置。
【請求項７】
ジョブを受信する受信部と，
記憶部と，
シートに画像を形成する画像形成部と，
操作部と，
制御部と，
を備える画像形成装置において，
前記制御部は，
前記受信部を介してジョブを受信した場合に，前記受信したジョブを前記記憶部に記
憶する記憶処理を実行し，
前記記憶部にジョブが記憶されている状態で，ジョブを選択するジョブ選択指示を前
記操作部を介して受け付けた場合に，
前記操作部への操作に応じて，前記記憶部に記憶されるジョブの少なくとも１つを
選択する選択処理と，
前記選択処理にて複数のジョブが選択された場合，前記選択された複数のジョブの
全てで部数の設定が同じか，前記選択された複数のジョブに互いに異なる部数の設定が含
まれるかを判断する同一部数判断処理と，
前記選択された複数のジョブの部数を変更する部数変更処理であって，
前記同一部数判断処理にて，前記選択された複数のジョブの全てで部数の設定が
同じと判断された場合，部数の設定を前記操作部を介して受け付け，前記選択された複数
のジョブの全ての部数を，受け付けた部数に変更する一括変更処理と，
前記同一部数判断処理にて，前記選択された複数のジョブに互いに異なる部数の
設定が含まれると判断された場合，前記選択された複数のジョブの１つずつに対して個別
に，部数の設定を前記操作部を介して受け付け，前記選択された複数のジョブの各ジョブ
の部数を，受け付けた部数に変更する個別変更処理と，
を実行する前記部数変更処理と，
前記操作部に画像形成指示を受け付けたことを契機に，前記選択処理により選択さ
れた前記ジョブに基づく画像を，前記選択されたジョブに設定されている部数分，前記画
像形成部に形成させる画像形成処理と，
を実行することを特徴とする画像形成装置。
【請求項８】
画像形成装置の制御方法において，
ジョブを受信した場合に，前記受信したジョブを前記画像形成装置の記憶部に記憶す
る記憶ステップを含み，
前記記憶部にジョブが記憶されている状態で，ジョブを選択するジョブ選択指示を前
記画像形成装置の操作部を介して受け付けた場合に，
前記操作部への操作に応じて，前記記憶部に記憶されるジョブの少なくとも１つを
選択する選択ステップと，
前記選択ステップにて複数のジョブが選択された場合，前記選択された複数のジョ
ブに，部数が２以上に設定されたジョブが含まれるか否かを判断する複数部数判断ステッ
プと，
前記選択された複数のジョブの部数を変更する部数変更ステップであって，
前記複数部数判断ステップにて，前記選択された複数のジョブに，部数が２以上
に設定されたジョブが含まれないと判断された場合，部数の設定を前記操作部を介して受
け付け，前記選択された複数のジョブの全ての部数を，受け付けた部数に変更し，
前記複数部数判断ステップにて，前記選択された複数のジョブに，部数が２以上
に設定されたジョブが含まれると判断された場合，前記選択された複数のジョブの１つず
つに対して個別に，部数の設定を前記操作部を介して受け付け，前記選択された複数のジ
ョブの各ジョブの部数を，受け付けた部数に変更する，前記部数変更ステップと，
前記操作部に画像形成指示を受け付けたことを契機に，前記選択ステップにより選
択された前記ジョブに基づく画像を，前記選択されたジョブに設定されている部数分，形
成する画像形成ステップと，
を含むことを特徴とする画像形成装置の制御方法。
【請求項９】
画像形成装置の制御方法において，
ジョブを受信した場合に，前記受信したジョブを前記画像形成装置の記憶部に記憶す
る記憶ステップを含み，
前記記憶部にジョブが記憶されている状態で，ジョブを選択するジョブ選択指示を前
記画像形成装置の操作部を介して受け付けた場合に，
前記操作部への操作に応じて，前記記憶部に記憶されるジョブの少なくとも１つを
選択する選択ステップと，
前記選択ステップにて複数のジョブが選択された場合，前記選択された複数のジョ
ブの全てで部数の設定が同じか，前記選択された複数のジョブに互いに異なる部数の設定
が含まれるかを判断する同一部数判断ステップと，
前記選択された複数のジョブの部数を変更する部数変更ステップであって，
前記同一部数判断ステップにて，前記選択された複数のジョブの全てで部数の設
定が同じと判断された場合，部数の設定を前記操作部を介して受け付け，前記選択された
複数のジョブの全ての部数を，受け付けた部数に変更し，
前記同一部数判断ステップにて，前記選択された複数のジョブに互いに異なる部
数の設定が含まれると判断された場合，前記選択された複数のジョブの１つずつに対して
個別に，部数の設定を前記操作部を介して受け付け，前記選択された複数のジョブの各ジ
ョブの部数を，受け付けた部数に変更する，前記部数変更ステップと，
前記操作部に画像形成指示を受け付けたことを契機に，前記選択ステップにより選
択された前記ジョブに基づく画像を，前記選択されたジョブに設定されている部数分，形
成する画像形成ステップと，
を含むことを特徴とする画像形成装置の制御方法。
【発明の詳細な説明】
【技術分野】
【０００１】
本発明は，画像形成装置および画像形成装置の制御方法に関する。
【背景技術】
【０００２】
画像形成装置に関する技術文献として，例えば，特許文献１がある。特許文献１には，
クライアント装置と通信可能に接続される画像形成装置であって，印刷データの部数の変
更指示を受け付け，クライアント装置において印刷データ生成時に設定された部数の情報
を取得し，その情報に基づいて１部ごとのページ数を特定し，その１部ごとの情報に基づ
いて印刷データの部数を変更する構成が開示されている。
【先行技術文献】
【特許文献】
【０００３】
【特許文献１】特開２０１３−１０７２５７号公報
【発明の概要】
【発明が解決しようとする課題】
【０００４】
しかしながら，前記した従来の技術には，次のような問題があった。すなわち，画像形
成装置に記憶されている複数の印刷データ（ジョブ）の部数を変更する場合，各ジョブの
部数を個別に変更する操作が必要であり，ユーザにとって手間である。複数のジョブの部
数を変更することについては特許文献１にも記載がなく，改善の余地がある。
【０００５】
本発明は，前記した従来の技術が有する問題点を解決するためになされたものである。
すなわちその課題とするところは，画像形成装置に記憶されている複数のジョブの部数を
容易に変更できる技術を提供することにある。
【課題を解決するための手段】
【０００６】
この課題の解決を目的としてなされた画像形成装置は，ジョブを受信する受信部と，記
憶部と，シートに画像を形成する画像形成部と，操作部と，制御部と，を備える画像形成
装置であって，前記制御部は，前記受信部を介してジョブを受信した場合に，前記受信し
たジョブを前記記憶部に記憶する記憶処理を実行し，前記記憶部にジョブが記憶されてい
る状態で，ジョブを選択するジョブ選択指示を前記操作部を介して受け付けた場合に，前
記操作部への操作に応じて，前記記憶部に記憶されるジョブの少なくとも１つを選択する
選択処理と，前記選択処理にて複数のジョブが選択された場合，前記選択された複数のジ
ョブに，部数が２以上に設定されたジョブが含まれるか否かを判断する複数部数判断処理
と，前記選択された複数のジョブの部数を変更する部数変更処理であって，前記複数部数
判断処理にて，前記選択された複数のジョブに，部数が２以上に設定されたジョブが含ま
れないと判断された場合，部数の設定を前記操作部を介して受け付け，前記選択された複
数のジョブの全ての部数を，受け付けた部数に変更する一括変更処理と，前記複数部数判
断処理にて，前記選択された複数のジョブに，部数が２以上に設定されたジョブが含まれ
ると判断された場合，前記選択された複数のジョブの１つずつに対して個別に，部数の設
定を前記操作部を介して受け付け，前記選択された複数のジョブの各ジョブの部数を，受
け付けた部数に変更する個別変更処理と，を実行する前記部数変更処理と，前記操作部に
画像形成指示を受け付けたことを契機に，前記選択処理により選択された前記ジョブに基
づく画像を，前記選択されたジョブに設定されている部数分，前記画像形成部に形成させ
る画像形成処理と，を実行することを特徴としている。
【０００７】
本明細書に開示される画像形成装置は，記憶部に記憶されているジョブのうち，ユーザ
の操作によって複数のジョブが選択された場合に，その選択された全てのジョブについて
，部数の設定が２以上に設定されたジョブが無いことを条件として，一括変更処理によっ
て１回の設定操作によって纏めて部数を変更する。これにより，複数のジョブについて個
々の部数設定の操作の手間を省くことができる。一方，部数の設定が２以上に設定された
ジョブがある場合については，その指定された部数での印刷が望まれている可能性が高く
，部数が纏めて変更されると，再度，元の部数に設定し直す手間が発生してしまうことが
ある。そのため，個別変更処理によって各ジョブの部数を個別に変更する。これにより，
ジョブの部数の変更の操作性が向上する。
【０００８】
また，本明細書には，別の画像形成装置として，ジョブを受信する受信部と，記憶部と
，シートに画像を形成する画像形成部と，操作部と，制御部と，を備える画像形成装置で
あって，前記制御部は，前記受信部を介してジョブを受信した場合に，前記受信したジョ
ブを前記記憶部に記憶する記憶処理を実行し，前記記憶部にジョブが記憶されている状態
で，ジョブを選択するジョブ選択指示を前記操作部を介して受け付けた場合に，前記操作
部への操作に応じて，前記記憶部に記憶されるジョブの少なくとも１つを選択する選択処
理と，前記選択処理にて複数のジョブが選択された場合，前記選択された複数のジョブの
全てで部数の設定が同じか，前記選択された複数のジョブに互いに異なる部数の設定が含
まれるかを判断する同一部数判断処理と，前記選択された複数のジョブの部数を変更する
部数変更処理であって，前記同一部数判断処理にて，前記選択された複数のジョブの全て
で部数の設定が同じと判断された場合，部数の設定を前記操作部を介して受け付け，前記
選択された複数のジョブの全ての部数を，受け付けた部数に変更する一括変更処理と，前
記同一部数判断処理にて，前記選択された複数のジョブに互いに異なる部数の設定が含ま
れると判断された場合，前記選択された複数のジョブの１つずつに対して個別に，部数の
設定を前記操作部を介して受け付け，前記選択された複数のジョブの各ジョブの部数を，
受け付けた部数に変更する個別変更処理と，を実行する前記部数変更処理と，前記操作部
に画像形成指示を受け付けたことを契機に，前記選択処理により選択された前記ジョブに
基づく画像を，前記選択されたジョブに設定されている部数分，前記画像形成部に形成さ
せる画像形成処理と，を実行することを特徴とする画像形成装置が開示されている。
【０００９】
本明細書に開示される別の画像形成装置は，記憶部に記憶されているジョブのうち，ユ
ーザの操作によって複数のジョブが選択された場合に，その選択された全てのジョブにつ
いて，部数の設定が同じであることを条件として，一括変更処理によって１回の設定操作
によって纏めて部数を変更する。これにより，複数のジョブについて個々の設定操作の手
間を省くことができる。一方，部数の設定が互いに異なる値に設定されたジョブがある場
合については，それぞれ指定された部数での印刷が望まれている可能性が高く，部数が纏
めて変更されると，再度，元の部数に設定し直す手間が発生してしまうことがある。その
ため，個別変更処理によって各ジョブの部数を個別に変更する。これにより，ジョブの部
数の変更の操作性が向上する。
【００１０】
上記装置の機能を実現するための制御方法，コンピュータプログラム，および当該コン
ピュータプログラムを格納するコンピュータにて読取可能な記憶媒体も，新規で有用であ
る。
【発明の効果】
【００１１】
本発明によれば，画像形成装置に記憶されている複数のジョブの部数を容易に変更でき
る技術が実現される。
【図面の簡単な説明】
【００１２】
【図１】実施の形態にかかるプリンタの外観を示す斜視図である。
【図２】図１に示したプリンタの内部構成を示す断面図である。
【図３】実施の形態にかかるプリンタの電気的構成を示すブロック図である。
【図４】実施の形態のプリンタを利用する際の，タッチパネルの画面遷移を示す図である。
【図５】実施の形態にかかるプリンタのジョブ管理処理の手順を示すフローチャートである。
【図６】実施の形態にかかるプリンタのログイン処理の手順を示すフローチャートである。
【図７】実施の形態にかかるプリンタの蓄積ジョブ印刷処理の手順を示すフローチャートである。
【図８】一括設定画面の構成を示す図である。
【図９】部数変更確認画面の構成を示す図である。
【図１０】個別部数設定画面の構成を示す図である。
【発明を実施するための形態】
【００１３】
以下，本実施形態にかかる画像形成装置について，添付図面を参照しつつ詳細に説明す
る。本形態は，印刷機能を有するプリンタに本発明を適用したものである。
【００１４】
［プリンタ１００の全体構成］
本形態のプリンタ１００は，図１に示すように，シートに印刷を行う印刷部１０と，印
刷部１０で印刷されたシートの排出先となる排紙トレイを複数具備するメールボックス２
０とを備えている。印刷部１０は，カバー１１を備え，カバー１１内に印刷エンジンとな
るプロセス部およびシートを搬送する機構を収容する。メールボックス２０は，印刷部１
０の上面に，印刷部１０から着脱可能に取り付けられる増設ユニットである。
【００１５】
また，印刷部１０は，その底部に，印刷前のシートを収容する給紙カセット９１を備え
ている。なお，給紙カセット９１は，１つに限るものではない。例えば，給紙カセット９
１のさらに下面に，増設給紙カセットを取り付けてもよい。また，印刷部１０は，その上
面に，印刷後のシートを載置する排紙トレイである本体排紙トレイ９３を備えている。本
体排紙トレイ９３は，排紙トレイの一例である。
【００１６】
また，印刷部１０には，その前面に，ユーザによる手差し給紙を可能にする多目的トレ
イ９４が設けられている。多目的トレイ９４は，印刷部１０のカバー１１に開閉自在に設
けられており，下辺側に設けられた回転軸を中心に回動させると開放状態となる。印刷部
１０では，多目的トレイ９４が開放状態となることで，多目的トレイ９４を利用した給紙
が可能になる。
【００１７】
また，印刷部１０は，その上面に，タッチパネル４１と，ＯＫボタン，キャンセルボタ
ン，テンキー，ユーザ認証ボタン等から構成されるボタン群４２とを備えた操作パネル４
０が設けられている。タッチパネル４１は，各種のメッセージやデータを表示する表示機
能と，ユーザによる入力操作を受け付ける入力機能とを兼ねる。操作パネル４０は，操作
部の一例である。操作パネル４０により，動作状況の表示やユーザによる入力操作が可能
になる。
【００１８】
メールボックス２０は，３段の排紙トレイ群９６を備えている。排紙トレイ群９６の各
排紙トレイは，上下方向に所定の間隔を空けて列置される。本形態では，排紙トレイ群９
６を構成する各排紙トレイを，下から順に上に向かって，下段排紙トレイ９６１，中段排
紙トレイ９６２，上段排紙トレイ９６３とする。なお，メールボックス２０は，３段の排
紙トレイに限るものではない。すなわち，２段以下であってもよいし，４段以上であって
もよい。メールボックス２０は，例えば，ユーザごとのシートの排出に用いられる。下段
排紙トレイ９６１，中段排紙トレイ９６２，および上段排紙トレイ９６３も，排紙トレイ
の一例である。
【００１９】
［プリンタ１００の内部構成］
続いて，プリンタ１００の内部構成について，図２を参照しつつ説明する。プリンタ１
００の印刷部１０は，電子写真方式によってトナー像を形成し，そのトナー像をシートに
転写するプロセス部５０と，シートの搬送に利用される各種ローラとを備えている。
【００２０】
印刷部１０内の各種ローラには，例えば，ピックアップローラと分離ローラとから構成
される給紙ローラ７１と，印刷後のシートを本体排紙トレイ９３に排出するローラである
本体排紙ローラ７３と，が含まれる。本体排紙ローラ７３は，排出部の一例である。
【００２１】
印刷部１０内には，給紙カセット９１に収容されたシートが，給紙ローラ７１，プロセ
ス部５０を通り，本体排紙ローラ７３を介して本体排紙トレイ９３へ導かれるように，略
Ｓ字形状の搬送路２１（図２中の一点鎖線）が設けられている。また，印刷部１０内には
，多目的トレイ９４から搬入されたシートがプロセス部５０へ導かれるように，略直線状
の搬送経路２４が設けられている。
【００２２】
また，印刷部１０内には，プロセス部５０よりも下流であって本体排紙ローラ７３より
も上流の位置に，搬送路２１から分岐する分岐点２１５が設けられ，印刷後のシートが分
岐点２１５からメールボックス２０へ導かれる搬送路２５が設けられている。そして，印
刷部１０は，印刷後のシートを，搬送路２１を経由して本体排紙トレイ９３に向かわせる
か，搬送路２５を経由してメールボックス２０に向かわせるか，を切り換えるフラッパで
ある本体フラッパ８１を，分岐点２１５の周辺に設けている。本形態では，本体フラッパ
８１が開状態であれば，シートが搬送路２５に導かれ，本体フラッパ８１が閉状態であれ
ば，シートが搬送路２１に導かれる。
【００２３】
メールボックス２０は，下段排紙トレイ９６１にシートを排出する排紙ローラである下
段排紙ローラ７６１と，中段排紙トレイ９６２にシートを排出する排紙ローラである中段
排紙ローラ７６２と，上段排紙トレイ９６３にシートを排出する排紙ローラである上段排
紙ローラ７６３とを備えている。下段排紙ローラ７６１，中段排紙ローラ７６２，および
上段排紙ローラ７６３は，排出部の一例である。
【００２４】
また，メールボックス２０内には，印刷部１０の搬送路２５と連続し，印刷後のシート
をメールボックス２０内に搬入し，最上位に位置する上段排紙トレイ９６３に導く搬送路
２２が設けられている。また，搬送路２２には，下段排紙トレイ９６１に向かうための分
岐点２２１と，中段排紙トレイ９６２に向かうための分岐点２２２と，が設けられる。ま
た，メールボックス２０内には，シートを分岐点２２１から下段排紙トレイ９６１に導く
搬送路２８と，シートを分岐点２２２から中段排紙トレイ９６２に導く搬送路２９と，が
設けられている。
【００２５】
具体的に，下段排紙トレイ９６１を排出先とする場合には，メールボックス２０に搬入
されたシートは，分岐点２２１によって搬送路２２から搬送路２８へ分岐し，下段排紙ロ
ーラ７６１を介して下段排紙トレイ９６１に導かれる。中段排紙トレイ９６２を排出先と
する場合には，メールボックス２０に搬入されたシートは，分岐点２２１よりも下流に位
置する分岐点２２２によって搬送路２２から搬送路２９へ分岐し，中段排紙ローラ７６２
を介して中段排紙トレイ９６２に導かれる。上段排紙トレイ９６３を排出先とする場合に
は，メールボックス２０に搬入されたシートは，分岐点２２１，２２２からは分岐せず，
上段排紙ローラ７６３を介して上段排紙トレイ９６３に導かれる。
【００２６】
また，メールボックス２０は，印刷後のシートを，搬送路２２に搬送するか搬送路２８
に搬送するかを切り換えるフラッパであるフラッパ８２を，分岐点２２１の周辺に設けて
いる。本形態では，フラッパ８２が閉状態であれば，シートが搬送路２８に搬送され，フ
ラッパ８２が開状態であれば，シートが搬送路２２に搬送される。さらに，メールボック
ス２０は，印刷後のシートを，搬送路２２に搬送するか搬送路２９に搬送するかを切り換
えるフラッパであるフラッパ８３を，分岐点２２２の周辺に設けている。本形態では，フ
ラッパ８３が閉状態であれば，シートが搬送路２９に搬送され，フラッパ８２が開状態で
あれば，シートが搬送路２２に搬送される。
【００２７】
プロセス部５０は，画像データに基づく画像をシートに印刷する。プロセス部５０は，
印刷機能を有していればよく，インクジェット方式であっても電子写真方式であってもよ
い。更には，カラー印刷が可能であってもモノクロ専用であってもよい。プロセス部５０
は，画像形成部の一例である。
【００２８】
プリンタ１００は，給紙カセット９１に載置されているシートあるいは多目的トレイ９
４から送り込まれたシートを，プロセス部５０に搬送する。そして，プロセス部５０によ
ってシート上に画像を形成する。その後は，そして，画像が形成されたシートを，本体排
紙トレイ９３，下段排紙トレイ９６１，中段排紙トレイ９６２，上段排紙トレイ９６３の
いずれかに排出する。
【００２９】
［プリンタ１００の電気的構成］
実施の形態のプリンタ１００は，図３に示すように，ＣＰＵ３１と，ＲＯＭ３２と，Ｒ
ＡＭ３３と，ＮＶＲＡＭ（Non Volatile RAM）３４とを備えるコントローラ３０を有して
いる。プリンタ１００は，画像形成装置の一例である。なお，図３中のコントローラ３０
は，ＣＰＵ３１等，プリンタ１００の制御に利用されるハードウェアを纏めた総称であっ
て，実際にプリンタ１００に存在する単一のハードウェアと表すとは限らない。
【００３０】
ＲＯＭ３２には，プリンタ１００を制御するための制御プログラムであるファームウェ
アや各種設定，初期値等が記憶されている。ＲＡＭ３３およびＮＶＲＡＭ３４は，各種制
御プログラムが読み出される作業領域として，あるいはデータを一時的に記憶する記憶領
域として利用される。ＲＡＭ３３およびＮＶＲＡＭ３４は，記憶部の一例である。
【００３１】
ＣＰＵ３１は，ＲＯＭ３２から読み出した制御プログラムや各種センサから送られる信
号に従って，その処理結果をＲＡＭ３３またはＮＶＲＡＭ３４に記憶させながら，プリン
タ１００の各構成要素を制御する。ＣＰＵ３１は，制御部の一例である。なお，コントロ
ーラ３０が制御部の一例であってもよい。
【００３２】
また，プリンタ１００は，プロセス部５０と，シートの搬送に用いられる各種ローラの
駆動源となるモータ７０と，フラッパ８１，８２，８３を含むフラッパ群８０と，操作パ
ネル４０と，ＩＣカードリーダ３７と，ネットワークインターフェース３６と，を有し，
これらがＣＰＵ３１によって制御される。なお，コントローラ３０に接続される構成要素
は，図３に示した構成要素に限らず，上述した構成要素以外の構成要素もコントローラ３
０に接続され，ＣＰＵ３１によって制御される。
【００３３】
ＩＣカードリーダ３７は，無線によって，ＩＣカードに記憶された情報を読み取るため
のハードウェアである。プリンタ１００は，本体の前面にＩＣカードの読取台（不図示）
を備え，当該読取台の裏側にＩＣカードリーダ３７を配置し，ユーザが当該読取台にＩＣ
カードをかざすことで，ＩＣカードリーダ３７が当該ＩＣカードに記憶される情報を読み
取る。
【００３４】
ネットワークインターフェース３６は，有線あるいは無線によって，ネットワークに接
続する外部装置と通信を行うためのハードウェアである。プリンタ１００は，例えば，ネ
ットワークを介して接続するパーソナルコンピュータ（ＰＣ）２００および認証サーバ３
００との通信が可能である。プリンタ１００は，ネットワークインターフェース３６を介
してＰＣ２００から送信される印刷ジョブを受信する。この他，モバイル装置から送信さ
れる印刷ジョブを，無線通信を用いて受信してもよい。ネットワークインターフェース３
６は，受信部の一例である。
【００３５】
［蓄積ジョブの印刷手順］
続いて，プリンタ１００が有する蓄積印刷機能について説明する。プリンタ１００は，
蓄積印刷機能が有効な場合，外部装置から印刷ジョブを受信しても直ぐには印刷を開始せ
ず，その印刷ジョブをＲＡＭ３３に記憶する。そして，プリンタ１００は，その後にその
印刷ジョブに対する印刷指示を受け付けたことを条件として，その印刷ジョブの印刷を行
う。本明細書では，蓄積印刷機能を有効とする印刷ジョブを蓄積ジョブとする。以下，蓄
積ジョブの印刷までの手順について詳説する。
【００３６】
プリンタ１００は，外部装置から蓄積ジョブを受信すると，ＲＡＭ３３に当該蓄積ジョ
ブを記憶する。蓄積ジョブには，ユーザＩＤやＩＰアドレス等，蓄積ジョブを所有するユ
ーザを識別できる情報であるユーザ情報が含まれており，蓄積ジョブはユーザ情報と関連
付けて記憶される。
【００３７】
プリンタ１００は，プリンタ１００自身の利用を許可するために，ログインを必要とす
る。ログインは，蓄積ジョブに対する印刷の指示を行うための操作の一部である。プリン
タ１００は，ログインを行うにあたって，ユーザを認証するための認証情報を受け付ける
。そして，プリンタ１００は，当該認証情報に基づくユーザ認証に成功することでログイ
ンが成功したものとし，ログインに成功したユーザであるログインユーザに関連付けられ
た蓄積ジョブに対する印刷の指示の受け付けを可能にする。
【００３８】
具体的に，プリンタ１００は，図４（Ａ）に示すようなログイン画面５１をタッチパネ
ル４１に表示させる。ログイン画面５１には，ログイン情報の入力を促すメッセージ５１
１と，認証情報を入力させる入力部５１２と，ログイン指示を入力させるログインボタン
５１３と，ＩＣカードによるユーザ情報の受け付けを一時的に可能にするＩＣカードボタ
ン５１４と，が表示される。
【００３９】
ログインボタン５１３が押下（より具体的にはタッチパネル４１のうちログインボタン
５１３が表示される領域へのタッチ操作の検知）されると，プリンタ１００は入力部５１
２に入力された認証情報を取得する。本形態では，ユーザを識別するユーザＩＤと，パス
ワードと，の組合せを，認証情報とする。ＩＣカードボタン５１４が押下されると，プリ
ンタ１００は，ＩＣカードリーダ３７による通信を一時的に可能にし，ＩＣカードリーダ
３７を用いて認証情報を取得する。
【００４０】
プリンタ１００は，認証情報を取得すると，当該認証情報を認証サーバ３００に送信し
，ユーザ認証を依頼する。そして，プリンタ１００は，認証サーバ３００から認証結果を
受信する。プリンタ１００は，認証成功を受信した場合，ログインが成功したものとし，
そのログインユーザに与えられた権限に基づいて自装置の利用を許可する。一方，認証成
功を受信しなかった場合，ログインに失敗したものとし，自装置の利用を許可しない。
【００４１】
プリンタ１００は，ログインが成功した後，プリンタ１００は，図４（Ｂ１）に示すよ
うな，蓄積ジョブ一覧画面５２をタッチパネル４１に表示させる。蓄積ジョブ一覧画面５
２には，印刷対象のジョブの選択を促すメッセージ５２１と，ＲＡＭ３３に記憶される蓄
積ジョブのうちログインユーザに関連付けられた蓄積ジョブを一覧表示する一覧表示部５
２２と，表示を切り替える切替指示を入力させる切替ボタン５２３と，選択された状態の
蓄積ジョブに対する印刷指示を入力させる印刷ボタン５２４と，ログアウト指示を入力さ
せるログアウトボタン５２６と，が表示される。
【００４２】
一覧表示部５２２には，ジョブを識別する情報と，選択された状態か否かを示す情報と
，が関連付けて表示される。具体的に，ジョブを識別する情報は，一覧表示部５２２の「
ジョブ」欄に，選択された状態か否かを示す情報は，一覧表示部５２２の「選択」欄に，
それぞれ表示される。「ジョブ」欄に表示されるジョブを識別する情報には，例えば，ジ
ョブＩＤ，送信元装置の識別情報，登録日，ページ数，データサイズ，が含まれる。「選
択」欄では，ジョブが選択された状態の場合，選択された状態である旨を示す情報（図４
（Ｂ１）では「○」）が表示され，ジョブが選択されていない場合，選択された状態であ
る旨を示す情報が表示されない。初期状態では，全ての蓄積印刷ジョブが選択されていな
い状態とする。また，一覧表示部５２２は，スクロール表示が可能である。そのため，プ
リンタ１００は，一覧表示部５２２の左端のスクロールバーへのタッチ操作を検知するこ
とで，一覧表示部５２２に表示される蓄積ジョブを切り替える。
【００４３】
また，プリンタ１００は，一覧表示部５２２へのタッチ操作を検知すると，タッチ操作
された領域に表示される蓄積ジョブの選択状態を切り替える。例えば，一覧表示部５２２
のうちジョブＡに関する情報を表示する領域がタッチされると，ジョブＡの選択状態が切
り替わる。選択状態には，選択された状態と選択されていない状態とがあるため，選択さ
れた状態であった場合には，選択されていない状態に切り替わり，選択されていない状態
であった場合には，選択された状態に切り替わる。
【００４４】
また，プリンタ１００は，一覧表示部５２２において，部数が２以上に設定されている
蓄積ジョブを強調表示する。強調表示の態様としては，例えば，該当する蓄積ジョブの情
報を太文字で表示する，該当する蓄積ジョブの情報を表示する領域の背景色を変更する，
該当する蓄積ジョブの「ジョブ」欄に所定のマークを表示する，該当する蓄積ジョブの「
ジョブ」欄を点滅表示する，といった態様が可能である。一方，部数が１の蓄積ジョブや
部数が設定されていない蓄積ジョブについては，そのような強調表示を行わない。すなわ
ち，プリンタ１００は，部数が２以上に設定されている蓄積ジョブと，それ以外の蓄積ジ
ョブと，を区別して表示する。部数が２以上に設定されている蓄積ジョブは，後述する部
数の一括変更の対象とならない。そのため，そのような蓄積ジョブを他の蓄積ジョブと区
別して表示することによって，ユーザにとって蓄積ジョブが選択し易くなり得る。
【００４５】
切替ボタン５２３が押下されると，プリンタ１００は，一覧表示部５２２に表示される
表示対象を切り替える。プリンタ１００は，図４（Ｂ１）に示すように，ログインユーザ
に関連付けられた全ての蓄積ジョブを表示する第１モードと，図４（Ｂ２）に示すように
，ログインユーザに関連付けられた蓄積ジョブのうち部数が１の蓄積ジョブあるいは部数
が設定されていない蓄積ジョブを抽出して表示する第２モードと，を有し，切替ボタン５
２３の押下を契機に，モードを切り替える。初期状態は，第１モードとする。
【００４６】
例えば，ログインユーザに関連付けられた蓄積ジョブとして，ジョブＡ，Ｂ，Ｃ，Ｄ，
Ｅ，Ｆがあり，そのうちジョブＡ，Ｃ，Ｄ，Ｆが，部数が１の蓄積ジョブあるいは部数が
設定されていない蓄積ジョブであった場合，第１モードでは，図４（Ｂ１）に示すように
，ジョブＢ，Ｅを含む全てのジョブを一覧表示部５２２に表示する。なお，図４（Ｂ１）
にはジョブＦが表示されていないが，スクロールすることによってジョブＦも表示可能で
ある。一方，第２モードでは，図４（Ｂ２）に示すように，ジョブＡ，Ｃ，Ｄ，Ｆのみを
一覧表示部５２２に表示する。一覧表示部５２２での表示対象を，後述する部数の一括変
更の対象となる蓄積ジョブに限定することによっても，ユーザにとって蓄積ジョブが選択
し易くなり得る。
【００４７】
また，印刷ボタン５２４が押下されると，プリンタ１００は選択された状態の蓄積ジョ
ブを順次に読み出し，読み出された蓄積ジョブに基づく印刷を印刷部１０に行わせる。ロ
グアウトボタン５２６が押下されると，プリンタ１００はログアウトを行う。
【００４８】
［プリンタ１００の制御］
続いて，上述した蓄積印刷機能を実現するプリンタ１００の動作について説明する。
【００４９】
［ジョブ管理処理］
始めに，プリンタ１００によるジョブ管理処理の手順を，図５のフローチャートを参照
しつつ説明する。ジョブ管理処理は，個々の印刷ジョブを管理する処理であって，印刷ジ
ョブをネットワークインターフェース３６を介して外部装置から受信したことを契機に，
ＣＰＵ３１によって実行される。
【００５０】
ジョブ管理処理では，ＣＰＵ３１は先ず，受信した印刷ジョブが蓄積ジョブか否かを判
断する（Ｓ１０１）。蓄積ジョブか否かの情報は，例えば印刷ジョブのヘッダ情報に含ま
れており，ＣＰＵ３１は印刷ジョブのヘッダ情報を解析することで，蓄積ジョブか否かを
判断する。また，プリンタ１００が蓄積印刷機能を有効にするか否かの設定を記憶してい
る場合，ＣＰＵ３１はその設定内容によって蓄積ジョブか否かを判断してもよい。
【００５１】
受信した印刷ジョブが蓄積ジョブであった場合（Ｓ１０１：ＹＥＳ），ＣＰＵ３１は，
受信した蓄積ジョブをＲＡＭ３３に記憶させる（Ｓ１１１）。ＣＰＵ３１は，前述したよ
うに，蓄積ジョブを，ユーザ情報と関連付けて記憶させる。Ｓ１０１は，記憶処理の一例
である。Ｓ１１１の後，ＣＰＵ３１は，受信した印刷ジョブを実行することなく，ジョブ
管理処理を終了する。
【００５２】
一方，受信した印刷ジョブが蓄積ジョブでなかった場合（Ｓ１０１：ＮＯ），ＣＰＵ３
１は，受信した印刷ジョブの印刷を印刷部１０に開始させる（Ｓ１２１）。すなわち，Ｃ
ＰＵ３１は，受信した印刷ジョブをジョブキューに登録し，ジョブ管理処理を終了する。
【００５３】
［ログイン処理］
続いて，プリンタ１００によるログイン処理の手順を，図６のフローチャートを参照し
つつ説明する。ログイン処理は，ログインおよび蓄積ジョブの印刷を行う処理であって，
プリンタ１００にログイン指示が入力されたことを契機に，ＣＰＵ３１によって実行され
る。なお，ログイン指示は，ログイン画面５１（図４（Ａ）参照）でのログインボタン５
１３の押下やＩＣカードボタン５１４の押下によって入力される。
【００５４】
ログイン処理では，ＣＰＵ３１は先ず，ログインを行うための認証情報を取得する（Ｓ
１３１）。具体的にＣＰＵ３１は，ログインボタン５１３の押下があった場合には，ログ
イン画面５１の入力部５１２に入力されたユーザＩＤおよびパスワードを取得する。ＩＣ
カードボタン５１４の押下があった場合には，ＩＣカードリーダ３７を用いて読み取った
認証情報を取得する。
【００５５】
Ｓ１３１の後，ＣＰＵ３１は，取得した認証情報を用いてユーザ認証を行う（Ｓ１３２
）。ＣＰＵ３１は，ユーザ認証を，自装置に記憶する情報に基づいて行ってもよいし，外
部装置である認証サーバ３００に行わせてもよい。そして，ＣＰＵ３１は，ユーザ認証に
成功したか否かを判断する（Ｓ１３３）。ユーザ認証に失敗した場合（Ｓ１３３：ＮＯ）
，ＣＰＵ３１はログイン処理を終了する。なお，ユーザ認証に失敗した場合，ユーザ認証
に失敗した旨のメッセージをタッチパネル４１に表示させ，再度，認証情報の入力を促し
てもよい。
【００５６】
ユーザ認証に成功した場合（Ｓ１３３：ＹＥＳ），ＣＰＵ３１は，蓄積ジョブ一覧画面
５２（図４（Ｂ）参照）をタッチパネル４１に表示させる（Ｓ１４１）。蓄積ジョブ一覧
画面５２の一覧表示部５２２には，ＲＡＭ３３に記憶される蓄積ジョブのうちログインユ
ーザに関連付けられた蓄積ジョブを一覧表示させる。
【００５７】
Ｓ１４１の後，ＣＰＵ３１は，印刷指示が有ったか否かを判断する（Ｓ１４２）。印刷
指示は，蓄積ジョブ一覧画面５２の印刷ボタン５２４の押下によって入力される。印刷指
示が無かった場合（Ｓ１４２：ＮＯ），ＣＰＵ３１は，ログアウト指示が有ったか否かを
判断する（Ｓ１４３）。ログアウト指示は，蓄積ジョブ一覧画面５２のログアウトボタン
５２６の押下によって入力される。ログアウト指示が無かった場合（Ｓ１４３：ＮＯ），
ＣＰＵ３１は，切替指示が有ったか否かを判断する（Ｓ１４４）。切替指示は，蓄積ジョ
ブ一覧画面５２の切替ボタン５２３の押下によって入力される。切替指示が無かった場合
（Ｓ１４４：ＮＯ），ＣＰＵ３１は，選択指示が有ったか否かを判断する（Ｓ１４５）。
選択指示は，一覧表示部５２２のうち各ジョブの情報が表示される領域へのタッチ操作に
よってジョブごとに入力される。選択指示が無かった場合（Ｓ１４５：ＮＯ），ＣＰＵ３
１は，Ｓ１４２に戻り，これらの指示が入力されるのを待つ。
【００５８】
印刷指示が有った場合（Ｓ１４２：ＹＥＳ），ＣＰＵ３１は，蓄積ジョブの印刷を行う
蓄積ジョブ印刷処理を実行する（Ｓ１５２）。蓄積ジョブ印刷処理の詳細については後述
する。Ｓ１５２の後，またはログアウト指示が有った場合（Ｓ１４３：ＹＥＳ），ＣＰＵ
３１は，ログアウトを行い（Ｓ１５３），ログイン処理を終了する。なお，Ｓ１５２の後
，ログインユーザに関連付けられた蓄積印刷ジョブがＲＡＭ３３に残っている場合，Ｓ１
４１に戻り，残りの蓄積ジョブを一覧表示部５２２に表示して，再度，印刷指示等の入力
を待ってもよい。
【００５９】
また，切替指示が有った場合（Ｓ１４４：ＹＥＳ），ＣＰＵ３１は，一覧表示部５２２
の表示のモードを切り替える（Ｓ１５４）。すなわち，ＣＰＵ３１は，第１モードであれ
ば第２モードに切り替え，第２モードであれば第１モードに切り替える。Ｓ１５４後，Ｃ
ＰＵ３１は，ＣＰＵ３１は，Ｓ１４２に戻り，印刷指示等が入力されるのを待つ。
【００６０】
また，選択指示が有った場合（Ｓ１４５：ＹＥＳ），ＣＰＵ３１は，一覧表示部５２２
に表示される蓄積ジョブのうち，タッチ操作があった領域に表示される蓄積ジョブの選択
状態を変更する（Ｓ１５５）。すなわち，ＣＰＵ３１は，選択された状態であれば選択さ
れていない状態に変更し，選択されていない状態であれば選択された状態に変更する。Ｓ
１５５後，ＣＰＵ３１は，ＣＰＵ３１は，Ｓ１４２に戻り，印刷指示等が入力されるのを
待つ。Ｓ１５５は，選択処理の一例である。
【００６１】
なお，ＣＰＵ３１は，蓄積ジョブ一覧画面５２の表示中，これらの指示以外の指示を受
け付けてもよい。例えば，選択された状態の蓄積ジョブをＲＡＭ３３から削除する削除指
示を受け付けてもよい。この場合，蓄積ジョブ一覧画面５２に，削除指示が入力されるボ
タンを表示するとよい。また，例えば，一覧表示部５２２に表示されている全ての蓄積ジ
ョブを選択する一括選択指示を受け付けてもよい。この場合，蓄積ジョブ一覧画面５２に
，一括選択指示が入力されるボタンを表示するとよい。
【００６２】
［蓄積ジョブ印刷処理］
続いて，ログイン処理中に実行されるＳ１５２の蓄積ジョブ印刷処理の手順を，図７の
フローチャートを参照しつつ説明する。
【００６３】
蓄積ジョブ印刷処理では，ＣＰＵ３１は先ず，選択された状態の蓄積ジョブをＲＡＭ３
３から読み出す（Ｓ１７１）。そして，ＣＰＵ３１は，読み出した各蓄積ジョブの部数の
情報を取得する（Ｓ１７２）。さらに，ＣＰＵ３１は，Ｓ１７１にて読み出した蓄積ジョ
ブの中に，部数が２以上に設定された蓄積ジョブが有るか否かを判断する（Ｓ１７３）。
Ｓ１７３は，複数部数判断処理の一例である。
【００６４】
部数が２以上に設定された蓄積ジョブが無い場合（Ｓ１７３：ＮＯ），選択された状態
の蓄積ジョブの中に，送信元の装置でユーザによって部数が設定された蓄積ジョブが無い
ものと推測される。そこで，ＣＰＵ３１は，図８に示すような，部数および排紙トレイの
一括設定画面５３を，タッチパネル４１に表示させる（Ｓ１８１）。一括設定画面５３に
は，部数の設定を促すメッセージ５３１と，部数を入力させる入力部５３２と，排紙トレ
イの設定を促すメッセージ５３３と，排紙トレイを選択させる選択部５３４と，一括設定
の指示を入力させる設定ボタン５３５と，が表示される。
【００６５】
なお，入力部５３２には，初期値として，「１」が表示される。部数の変更が必要ない
利用者もいるため，部数の初期値を１とすることで，部数の入力の手間を省くことができ
る。また，選択部５３４には，初期値として，プリンタ１００にデフォルト設定されてい
る排紙トレイが表示される。排紙トレイの変更が必要ない利用者もいるため，デフォルト
設定の排紙トレイを初期値とすることで，排紙トレイの入力の手間を省くことができる。
【００６６】
Ｓ１８１の後，設定ボタン５３５が押下されると，ＣＰＵ３１は，選択された状態の全
ての蓄積ジョブの部数を，入力部５３２に入力された部数に変更する（Ｓ１８２）。これ
により，ユーザの１回の設定操作によって一括して部数が変更される。入力部５３２に部
数が入力されていない場合には，初期値である「１」を入力値とする。
【００６７】
また，ＣＰＵ３１は，選択された状態の全ての蓄積ジョブの排紙トレイを，選択部５３
４で選択された排紙トレイに変更する（Ｓ１８３）。これにより，部数と同様に，ユーザ
の１回の設定操作によって一括して排紙トレイが変更される。部数を一括変更する場合に
は，排紙トレイも併せて設定する必要性が高いため，排紙トレイの設定も受け付けること
で，利便性が向上し得る。Ｓ１８２は，一括変更処理の一例である。なお，Ｓ１８２とＳ
１８３の順序は逆順であってもよい。
【００６８】
一方，部数が２以上に設定された蓄積ジョブが有る場合（Ｓ１７３：ＹＥＳ），選択さ
れた状態の蓄積ジョブの中に，送信元の装置でユーザによって部数が設定された蓄積ジョ
ブ，すなわち部数の設定の重要度が高い蓄積ジョブが有るものと推測される。そこで，Ｃ
ＰＵ３１は，図９に示すような，部数の変更の確認画面５４を，タッチパネル４１に表示
させる（Ｓ１７４）。確認画面５４には，部数の変更の可否を確認するメッセージ５４１
と，変更の許可を入力させる許可ボタン５４２と，変更の不許可を入力させる不許可ボタ
ン５４３と，が表示される。Ｓ１７４は，指示受付処理の一例である。
【００６９】
Ｓ１７４の後，ＣＰＵ３１は，部数の変更の許可が有ったか否かを判断する（Ｓ１７５
）。部数の変更の許可が有った場合（Ｓ１７５：ＹＥＳ），すなわち許可ボタン５４２が
押下された場合，ＣＰＵ３１は，選択された状態の蓄積ジョブであって部数の個別設定が
完了していない蓄積ジョブの１つを抽出する（Ｓ１９１）。
【００７０】
Ｓ１９１の後，ＣＰＵ３１は，図１０に示すような，部数の個別設定画面５５を，タッ
チパネル４１に表示させる（Ｓ１９２）。個別設定画面５５には，抽出された蓄積ジョブ
についての部数の設定を促すメッセージ５５１と，部数を入力させる入力部５５２と，部
数を設定する指示を入力させる設定ボタン５５３と，が表示される。なお，入力部５３２
には，初期値として，抽出された蓄積ジョブに設定されている部数が表示される。抽出さ
れた蓄積ジョブに部数が設定されていない場合には，「１」が表示される。部数の変更が
必要ない利用者もいるため，部数の初期値を現状の設定値とすることで，部数の入力の手
間を省くことができる。
【００７１】
Ｓ１９２の後，設定ボタン５５３が押下されると，ＣＰＵ３１は，Ｓ１９１にて抽出さ
れた蓄積ジョブの部数を，入力部５５２に入力された部数に変更する（Ｓ１９３）。Ｓ１
９３は，個別変更処理の一例である。これにより，蓄積ジョブごとに部数が変更される。
入力部５５２に部数が入力されていない場合には，現状の部数の設定値を入力値とする。
【００７２】
Ｓ１９３の後，ＣＰＵ３１は，選択された状態の全ての蓄積ジョブについて部数の個別
設定が完了したか否かを判断する（Ｓ１９４）。部数の個別設定が完了していない蓄積ジ
ョブが有る場合（Ｓ１９４：ＮＯ），ＣＰＵ３１は，Ｓ１９１に戻り，部数の個別設定が
完了していない蓄積ジョブの１つを抽出し，部数の個別設定を行う。
【００７３】
一方，部数の変更の許可が無かった場合（Ｓ１７５：ＮＯ），すなわち不許可ボタン５
４３が押下された場合，ＣＰＵ３１は，Ｓ１９１からＳ１９４までの部数の設定の処理を
回避する。部数が２以上に設定された蓄積ジョブが有る場合，その部数がユーザによって
設定された可能性が高く，部数の変更の必要性が低い傾向にある。そのため，部数の変更
の要否を受け付け，部数の変更が不要であれば，個別の部数の変更を回避することで，個
別設定に伴う設定操作の手間を省くことができる。
【００７４】
Ｓ１８３の後，または選択された状態の全ての蓄積ジョブについて部数の個別設定が完
了した場合（Ｓ１９４：ＹＥＳ），または部数の変更の許可が無かった場合（Ｓ１７５：
ＮＯ），ＣＰＵ３１は，選択された状態の全ての蓄積ジョブについて順次に印刷を開始す
る（Ｓ２０１）。Ｓ２０１は，画像形成処理の一例である。
【００７５】
なお，本形態の蓄積ジョブ印刷処理では，Ｓ１７３において，選択された状態の複数の
蓄積ジョブに部数が２以上に設定された蓄積ジョブが無いことを，部数の一括変更を行う
ための判断条件としているが，判断条件はこれに限るものではない。例えば，選択された
状態の複数の蓄積ジョブの全てで部数の設定が同じ場合，その部数が送信元の装置でユー
ザによって部数が設定され，同じ部数であることが重要であるものと推定される。そのた
め，選択された状態の複数の蓄積ジョブの全てで部数の設定が同じであることを，部数の
一括変更を行うための判断条件としてもよい。
【００７６】
以上詳細に説明したようプリンタ１００は，ＲＡＭ３３に記憶されている蓄積ジョブの
うち，複数の蓄積ジョブが選択された場合に，その選択された全ての蓄積ジョブについて
，部数の設定が２以上に設定された蓄積ジョブが無いこと（あるいは同じ部数であること
）を条件として，一括設定画面５３を表示し，１回の設定操作によって一括して部数を変
更する。これにより，複数の蓄積ジョブについて個々の部数設定の操作の手間を省くこと
ができる。一方，部数の設定が２以上に設定された蓄積ジョブがある（あるいは互いに部
数が異なる）場合については，その指定された部数での印刷が望まれている可能性が高く
，部数が一括して変更されると，再度，元の部数に設定し直す手間が発生してしまうこと
がある。そのため，個別設定画面５５を表示して各ジョブの部数を個別に変更する。これ
により，ジョブの部数の変更の操作性が向上する。
【００７７】
なお，本実施の形態は単なる例示にすぎず，本発明を何ら限定するものではない。した
がって本発明は当然に，その要旨を逸脱しない範囲内で種々の改良，変形が可能である。
例えば，画像形成装置は，印刷機能を備えるものであればよく，読取機能やファクシミリ
通信機能等，他の機能を備えていてもよい。すなわち，画像形成装置は，コピー機，ファ
クシミリ装置，複合機であってもよい。
【００７８】
また，実施の形態では，プリンタ１００のＲＡＭ３３に蓄積ジョブを記憶しているが，
ＮＶＲＡＭ３４であってもよい。また，外部装置が蓄積ジョブを記憶し，当該蓄積ジョブ
の印刷条件を満たした場合に，プリンタ１００が当該外部装置から当該蓄積ジョブを読み
出して印刷を行ってもよい。
【００７９】
また，実施の形態では，蓄積ジョブにユーザ情報が含まれ，蓄積ジョブとユーザ情報と
が関連付けられているが，蓄積ジョブにユーザ情報を含めなくてもよい。すなわち，蓄積
ジョブの実行に，ログインないしユーザ認証を必須としなくてもよい。この場合，ＲＡＭ
３３に記憶される蓄積ジョブを全て選択対象とし，蓄積ジョブ一覧画面５２における第１
モードでの表示には，ＲＡＭ３３に記憶される蓄積ジョブを全て表示すればよい。
【００８０】
また，実施の形態では，複数の蓄積ジョブの部数を一括して設定する際に，排紙トレイ
も合わせて設定可能としているが，排紙トレイの設定は無くてもよい。あるいは，部数を
一括して設定する際，排紙トレイの設定を行うか否かの指示を入力可能とし，排紙トレイ
の設定を行う指示が入力された場合に，排紙トレイの設定を可能にする構成であってもよ
い。
【００８１】
また，実施の形態では，部数が２以上に設定された蓄積ジョブが有る場合，部数の変更
の確認画面５４を表示し，部数の変更の許可が無かった場合，部数の個別変更を回避して
いるが，確認画面５４を表示せず，必ず部数の個別変更を行う構成としてもよい。但し，
部数の個別設定が不要なユーザにとっては個別変更の操作が手間になるため，部数の個別
変更の確認を受け付ける方が好ましい。
【００８２】
また，実施の形態では，蓄積ジョブ一覧画面５２において，部数が２以上に設定されて
いる蓄積ジョブを強調表示し，それ以外の蓄積ジョブと区別して表示しているが，強調表
示をしなくてもよい。また，実施の形態では，蓄積ジョブ一覧画面５２において，部数が
１の蓄積ジョブあるいは部数が設定されていない蓄積ジョブを抽出して表示する第２モー
ドを有しているが，第２モードを有していなくてもよい。但し，このような表示態様を可
能にすることで，ユーザにとって蓄積ジョブが選択し易くなり得る。
【００８３】
また，実施の形態に開示されている処理は，単一のＣＰＵ，複数のＣＰＵ，ＡＳＩＣな
どのハードウェア，またはそれらの組み合わせで実行されてもよい。また，実施の形態に
開示されている処理は，その処理を実行するためのプログラムを記録した記録媒体，また
は方法等の種々の態様で実現することができる。
【符号の説明】
【００８４】
１０    印刷部
３０    コントローラ
３６    ネットワークインターフェース
４０    操作パネル
９３    本体排紙トレイ
９６    排紙トレイ群
１００  プリンタ
【図１】
2020199777.tif 000003
【図２】
2020199777.tif 000004
【図３】
2020199777.tif 000005
【図４】
2020199777.tif 000006
【図５】
2020199777.tif 000007
【図６】
2020199777.tif 000008
【図７】
2020199777.tif 000009
【図８】
2020199777.tif 000010
【図９】
2020199777.tif 000011
【図１０】
2020199777.tif 000012
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
シートに画像を形成する画像形成部と，
操作部と，
制御部と，
を備える画像形成装置において，
前記制御部は，
印刷対象として複数のジョブを特定する特定処理と，
前記特定処理にて特定された印刷対象の複数のジョブに，部数が２以上に設定されたジョブが含まれるか否かを判断する複数部数判断処理と，
前記特定処理にて特定された印刷対象のジョブの部数を設定する部数設定処理であって，
前記複数部数判断処理にて，前記特定処理にて特定された印刷対象の複数のジョブに，部数が２以上に設定されたジョブが含まれないと判断された場合，部数の設定を前記操作部を介して受け付け，前記特定処理にて特定された印刷対象の全てのジョブの部数を，受け付けた部数に設定する一括設定処理と，
前記複数部数判断処理にて，前記特定処理にて特定された印刷対象の複数のジョブに，部数が２以上に設定されたジョブが含まれると判断された場合，前記特定処理にて特定された印刷対象のジョブ個別に，部数の設定を前記操作部を介して受け付け，受け付けた部数に設定する個別設定処理と，
を実行する前記部数設定処理と，
前記特定処理にて特定された印刷対象のジョブに基づく画像を，ジョブに設定されている部数分，前記画像形成部に形成させる画像形成処理と，
を実行する，
ことを特徴とする画像形成装置。
【請求項２】
請求項１に記載する画像形成装置において，
前記制御部は，
前記部数設定処理では，
前記複数部数判断処理にて，前記特定処理にて特定された印刷対象の複数のジョブに，部数が２以上に設定されたジョブが含まれると判断された場合，前記特定処理にて特定された印刷対象の複数のジョブの部数を設定するか否かの部数設定指示を前記操作部を介して受け付ける指示受付処理を実行し，
前記指示受付処理にて前記部数設定指示を受け付けた場合，前記個別設定処理を実行し，
前記指示受付処理にて前記部数設定指示を受け付けなかった場合，前記個別設定処理を実行しない，
ことを特徴とする画像形成装置。
【請求項３】
請求項１または請求項２に記載する画像形成装置において，
前記制御部は，
前記一括設定処理では，部数の設定を受け付ける際，部数の初期値を１とする，
ことを特徴とする画像形成装置。
【請求項４】
請求項１から請求項３のいずれか１つに記載する画像形成装置において，
複数の排紙トレイと，
前記画像形成部によって画像が形成されたシートを，前記複数の排紙トレイのいずれかに排出する排出部と，
を備え，
前記制御部は，
前記部数設定処理では，
前記一括設定処理にて部数を変更する場合，排紙トレイの設定を前記操作部を介して受け付け，前記特定処理にて特定された印刷対象の全てのジョブの排紙トレイの設定を，受け付けた排紙トレイに設定する排紙トレイ設定処理を実行する，
ことを特徴とする画像形成装置。
【請求項５】
シートに画像を形成する画像形成部と，
操作部と，
制御部と，
を備える画像形成装置において，
前記制御部は，
印刷対象として複数のジョブを特定する特定処理と，
前記特定処理にて特定された印刷対象の複数のジョブの全てで部数の設定が同じか，前記特定処理にて特定された印刷対象の複数のジョブに互いに異なる部数の設定が含まれるかを判断する同一部数判断処理と，
前記特定処理にて特定された印刷対象のジョブの部数を設定する部数設定処理であって，
前記同一部数判断処理にて，前記特定処理にて特定された印刷対象の複数のジョブの全てで部数の設定が同じと判断された場合，部数の設定を前記操作部を介して受け付け，前記特定処理にて特定された印刷対象の全てのジョブの部数を，受け付けた部数に設定する一括設定処理と，
前記同一部数判断処理にて，前記特定処理にて特定された印刷対象の複数のジョブに互いに異なる部数の設定が含まれると判断された場合，前記特定処理にて特定された印刷対象のジョブ個別に，部数の設定を前記操作部を介して受け付け，受け付けた部数に設定する個別設定処理と，
を実行する前記部数設定処理と，
前記特定処理にて特定された印刷対象のジョブに基づく画像を，ジョブに設定されている部数分，前記画像形成部に形成させる画像形成処理と，
を実行することを特徴とする画像形成装置。
【請求項６】
画像形成装置の制御方法において，
印刷対象として複数のジョブを特定する特定ステップと，
前記特定ステップにて特定された印刷対象の複数のジョブに，部数が２以上に設定されたジョブが含まれるか否かを判断する複数部数判断ステップと，
前記特定ステップにて特定された印刷対象のジョブの部数を設定する部数設定ステップであって，
前記複数部数判断ステップにて，前記特定ステップにて特定された印刷対象の複数のジョブに，部数が２以上に設定されたジョブが含まれないと判断された場合，部数の設定を前記画像形成装置の操作部を介して受け付け，前記特定ステップにて特定された印刷対象の全てのジョブの部数を，受け付けた部数に設定し，
前記複数部数判断ステップにて，前記特定ステップにて特定された印刷対象の複数のジョブに，部数が２以上に設定されたジョブが含まれると判断された場合，前記特定ステップにて特定された印刷対象のジョブ個別に，部数の設定を前記操作部を介して受け付け，受け付けた部数に設定する，前記部数設定ステップと，
前記特定ステップにて特定された印刷対象のジョブに基づく画像を，ジョブに設定されている部数分，形成する画像形成ステップと，
を含む，
ことを特徴とする画像形成装置の制御方法。
【請求項７】
画像形成装置の制御方法において，
印刷対象として複数のジョブを特定する特定ステップと，
前記特定ステップにて特定された印刷対象の複数のジョブの全てで部数の設定が同じか，前記特定ステップにて特定された印刷対象の複数のジョブに互いに異なる部数の設定が含まれるかを判断する同一部数判断ステップと，
前記特定ステップにて特定された印刷対象のジョブの部数を設定する部数設定ステップであって，
前記同一部数判断ステップにて，前記特定ステップにて特定された印刷対象の複数のジョブの全てで部数の設定が同じと判断された場合，部数の設定を前記画像形成装置の操作部を介して受け付け，前記特定ステップにて特定された印刷対象の全てのジョブの部数を，受け付けた部数に設定し，
前記同一部数判断ステップにて，前記特定ステップにて特定された印刷対象の複数のジョブに互いに異なる部数の設定が含まれると判断された場合，前記特定ステップにて特定された印刷対象のジョブ個別に，部数の設定を前記操作部を介して受け付け，受け付けた部数に設定する，前記部数設定ステップと，
前記特定ステップにて特定された印刷対象のジョブに基づく画像を，ジョブに設定されている部数分，形成する画像形成ステップと，
を含む，
ことを特徴とする画像形成装置の制御方法。